(57)【要約】【課題】容易に取り付け可能であり、空気調和機の消費電力を抑制可能な節電パネル、および空気調和機を提供する。【解決手段】節電パネル１００は、空気調和機の室内機または室外機に設けられた空気取り入れ口に取り付ける節電パネルである。節電パネル１００は、パネルシート１０と、複数の開口部２０を有する。パネルシート１０は、第１の面１１と第１の面１１の裏面である第２の面とを有する。開口部２０は、第１の面１１から第２の面に貫通する孔から構成される。開口部２０を構成する孔の内周面には、孔が貫通する第１方向に直交する第２方向内向きに突出した複数の突起部２１が形成される。突起部２１は、開口部２０の中心から見て、それぞれ第１の面１１に対して同じ傾斜角度θで傾斜する傾斜面２２を有する。【選択図】図５
2020118436.tif 000002
【特許請求の範囲】
【請求項１】
空気調和機の室内機または室外機に設けられた空気取り入れ口に取り付ける節電パネルであって、
第１の面と前記第１の面の裏面である第２の面とを有するパネルシートと、
前記第１の面から前記第２の面に貫通する孔から構成される複数の開口部と、を有し、
前記開口部を構成する孔の内周面には、孔が貫通する第１方向に直交する第２方向内向きに突出した複数の突起部が形成され、
前記複数の突起部は、前記開口部の中心から見て、それぞれ第１の面に対して同じ方向性を有する、
ことを特徴とする節電パネル。
【請求項２】
前記方向性とは、それぞれ第１の面に対して同じ傾斜角度で傾斜する傾斜面を有する、
ことを特徴とする請求項１に記載の節電パネル。
【請求項３】
前記傾斜面の前記傾斜角度は、１５°以上６０°以下である、
ことを特徴とする請求項２に記載の節電パネル。
【請求項４】
前記開口部には、それぞれ、８個以上２４個以下の前記突起部が形成されている、
ことを特徴とする請求項１から３の何れか１項に記載の節電パネル。
【請求項５】
複数の前記節電パネルを互いに連結する連結部を備える、
ことを特徴とする、請求項１から４の何れか１項に記載の節電パネル。
【請求項６】
前記開口部は、円孔から構成される、
ことを特徴とする、請求項１から５の何れか１項に記載の節電パネル。
【請求項７】
請求項１から６の何れか１項に記載の節電パネルと、
前記第１の面から前記第２の面にむけて前記開口部を空気が通過するように前記節電パネルを取り付けた室外機または室内機と、
を備えることを特徴とする空気調和機。
【発明の詳細な説明】
【技術分野】
【０００１】
本発明は、節電パネル、および空気調和機に関する。
【背景技術】
【０００２】
建物内部における空気の温度を調整するために用いられる空気調和機は、消費電力量を抑えることが求められている。
【０００３】
特許文献１は、熱交換器に水をかけるドレン水分配部を有することで、熱効率を高めた空気調和機を開示する。特許文献２は、熱交換器を備えた室外機の外表面に、エバポレータ側から排出されたドレン水をかける空気調和機を開示する。しかし、ドレン水を熱交換器に直接かけたのでは、熱交換器に目詰まりが発生するおそれがあるので、特許文献１に開示された空気調和機では、ドレン水を濾過する多孔体を設けるとともに、熱交換器のフィン全体に光触媒を塗布している。また、特許文献２に開示されたｔは、ドレン水を室外機の外表面に散布するものであるが、外表面の汚れを抑制するとともに、散布されたドレン水の気化を促進するため、室外機の外表面に光触媒が塗布されている。
【先行技術文献】
【特許文献】
【０００４】
【特許文献１】特開２００２−２５０５４３号公報
【特許文献２】特開２００５−１１４２００号公報
【発明の概要】
【発明が解決しようとする課題】
【０００５】
特許文献１および２で開示されている空気調和機は、熱交換器のフィン全体または室外機の外表面に光触媒を塗布する必要があり、熱交換器や室外機の外表面にドレン水をかける装置を空気調和機に後付けで取り付けることが容易でない。
【０００６】
本発明は、上述した事情に鑑みてなされたものであり、容易に取り付け可能であり、消費電力を抑制可能な節電パネル、および空気調和機を提供することを目的とする。
【課題を解決するための手段】
【０００７】
本発明の目的を達成するため、本発明に係る節電パネルの一様態は、
空気調和機の室内機または室外機に設けられた空気取り入れ口に取り付ける節電パネルであって、
第１の面と前記第１の面の裏面である第２の面とを有するパネルシートと、
前記第１の面から前記第２の面に貫通する孔から構成される複数の開口部と、を有し、
前記開口部を構成する孔の内周面には、孔が貫通する第１方向に直交する第２方向内向きに突出した複数の突起部が形成され、
前記複数の突起部は、前記開口部の中心から見て、それぞれ第１の面に対して同じ方向性を有する、
ことを特徴とする。
【０００８】
前記方向性とは、それぞれ第１の面に対して同じ傾斜角度で傾斜する傾斜面を有するとよい。
【０００９】
前記傾斜面の前記傾斜角度は、１５°以上６０°以下であるとよい。
【００１０】
前記開口部には、それぞれ、８個以上２４個以下の前記突起部が形成されているとよい。
【００１１】
複数の前記節電パネルを互いに連結する連結部を備えるとよい。
【００１２】
前記開口部は、円孔から構成されるとよい。
【００１３】
本発明の目的を達成するため、本発明に係る空気調和機の一様態は、
前記節電パネルと、
前記第１の面から前記第２の面にむけて前記開口部を空気が通過するように前記節電パネルを取り付けた室外機または室内機と、
を備えることを特徴とする。
【発明の効果】
【００１４】
本発明によれば、容易に取り付け可能であり、消費電力を抑制可能な節電パネル、および空気調和機を提供することが可能になる。
【図面の簡単な説明】
【００１５】
【図１】本発明の実施の形態に係る節電パネルの表面の一例を示す面図である。
【図２】本発明の実施の形態に係る節電パネルの裏面の一例を示す面図である。
【図３】本発明の実施の形態に係る節電パネルの一例を示す斜視図である。
【図４】本発明の実施の形態に係る節電パネルの一例を示す部分断面図である。
【図５】本発明の実施の形態に係る節電パネルの一例を示す部分断面図である。
【図６】本発明の実施の形態に係る節電パネルの一例を示す断面図である。
【図７】本発明の実施の形態に係る節電パネルの裏面の一例を示す斜視図である。
【図８】（Ａ）〜（Ｃ）は、本発明の実施の形態に係る節電パネルを空気調和機の室内機に取り付けた状態を示す図である。
【図９】（Ａ）および（Ｂ）は、本発明の実施の形態に係る節電パネルを空気調和機の室外機に取り付けた状態を示す図である。
【図１０】本発明の実施の形態に係る節電パネルを通過した空気の流れを示す図である。
【図１１】本発明の実施の形態に係る節電パネルを連結した図である。
【図１２】本発明の実施の形態に係る節電パネルからエバポレーターコイルに流れる空気の様子を示す図である。
【図１３】本発明の実施の形態に係る節電パネルからコンデンサユニットに流れる空気の様子を示す図である。
【図１４】変形例に係る節電パネルの裏面の一例を示す図である。
【発明を実施するための形態】
【００１６】
以下、本発明を実施するための形態に係る節電パネル、および空気調和機について説明する。
【００１７】
実施の形態に係る節電パネル１００は、図１〜図５に示すように、パネルシート１０と、複数の開口部２０と、連結部３０と、を有し、図８および図９に示すように、空気調和機２００の室内機２１０または室外機２２０に設けられた空気取り入れ口２１１、２２１に取り付けられるものである。節電パネル１００は、空気調和機２００の室内機２１０または室外機２２０に取り付けられると、例えば、空気調和機２００の消費電力を抑制することができる。
【００１８】
図１〜図５に示すパネルシート１０は、第１の面１１と第１の面１１の裏面である第２の面１２とを有する樹脂シートと、樹脂シートに含まれるファインセラミックス粒子と、から構成される。樹脂シートは、シリコンゴムなどの合成樹脂を含む。ファインセラミックス粒子は、遠赤外線を放射し、マイナスイオンを発生する成分を含む。ファインセラミックス粒子の粒径は、好ましくは、１μｍ以上１００μｍ以下であり、より好ましくは、５μｍ以上５０μｍ以下である。例えば、ファインセラミックス粒子は、段戸石を粉砕した粒子であるとよい。段戸石は、愛知県東三河の領家変成帯で産出する石英片岩の一種である。段戸石の成分を表１に示す。ファインセラミックス粒子が段戸石を粉砕した粒子であることで、効率的に遠赤外線を放射し、マイナスイオンを発生する。前記ファインセラミックス粒子は、前述の素材に、限定されず、類似するその地のファインセラミックス粒子も採用可能である。
【００１９】
【表１】
2020118436.tif 000003
【００２０】
開口部２０は、第１の面１１から第２の面１２に貫通する円孔から構成され、径方向内向きに突出した１６個の突起部２１を有する。突起部２１は、均等な間隔で配置され、厚み方向に見て、三角形の形状を有し、開口部２０の中心から見て、それぞれ第１の面１１に対して同じ傾斜角度θで傾斜する傾斜面２２を有する。突起部２１の突出長さＤ２は、好ましくは、開口部２０の内径Ｄ１の１００分の５以上１００分の２０以下であり、より好ましくは、開口部２０の内径Ｄ１の１００分の１０以上１００分の１５以下である。図６に示す傾斜面２２とパネルシート１０の第１の面１１との為す傾斜角度θは、好ましくは、１５°以上６０°以下であり、より好ましくは、２０°以上４５°以下である。節電パネル１００の第２の面１２は、図７に示すように、開口部２０の周辺部２３が盛り上がっている。これにより、パネルシート１０に用いる材料を少なくしつつ、傾斜面２２の傾斜角度θを大きくすることができる。開口部２０が、傾斜面２２を有する複数の突起部２１を有することで、室内機２１０または室外機２２０の空気取り入れ口２１１、２２１に第２の面１２が向かい合うように取り付けると、第１の面１１に垂直な方向から流れる空気が開口部２０を通過し、傾斜面２２で空気の流れの向きが斜め方向に変わる。これにより、図１０に示すように、開口部２０の外周部分を通過した空気に螺旋状の空気の流れが生じる。尚、図中１０ａはパネルシート１０の立上壁をカットした箇所であり（カット部）、空気の流れを作成する。
【００２１】
連結部３０は、図１、図２の如く、節電パネル１００の外周辺１００ａに、例えば、凹凸形状に形成されており、一例として、図１１に示すように、複数の節電パネル１００を連結するものである。これにより、空気調和機２００の室内機２１０または室外機２２０に設けられた空気取り入れ口２１１、２２１の大きさや形状、その他の要求等に応じて、必要な枚数を、例えば、縦、及び／又は、横、斜め方向等の各方向に連結することができる。
【００２２】
つぎに、節電パネル１００を取り付けた空気調和機２００について説明する。
【００２３】
節電パネル１００は、図８（Ａ）に示すように、空気調和機２００の床置きタイプの室内機２１０、図８（Ｂ）に示すように、壁面取り付けタイプの室内機２１０、または図８（Ｃ）に示すように、天井取り付けタイプの室内機２１０に取り付けられる。床置きタイプの室内機２１０に取り付ける場合、空気取り入れ口２１１に節電パネル１００の第２の面１２を向かい合わせて、タイラップ（登録商標）などの固定具を用いて取り付けるとよい。壁面取り付けタイプの室内機２１０に取り付ける場合、空気取り入れ口２１１に節電パネル１００の第２の面１２を向かい合わせて、空気取り入れ口２１１に裁置して取り付けるとよい。天井取り付けタイプの室内機２１０に取り付ける場合、下流に節電パネル１００の第１の面１１を向かい合わせて、空気取り入れ口２１１の網の上に裁置するとよい。
【００２４】
節電パネル１００を上記のように、室内機２１０に取り付けると、図１２に示すように、節電パネル１００の開口部２０を通過した空気は、フィルタ２１２を通過し、さらにエバポレーターコイル（熱交換器）２１３を通過する。節電パネル１００とフィルタ２１２との間に３〜５ｃｍの間隔を開けるとよい。開口部２０を通過した空気が、外周部に螺旋状の空気の流れを有することにより、エバポレーターコイル２１３のフィンに、強く接触する。これにより、螺旋状の空気の流れのない直線的に流れる空気に比べて、開口部２０を通過した空気は、エバポレーターコイル２１３で効率的に熱交換を行うことができる。これにより、空気調和機２００の消費電力を抑制することができる。
【００２５】
また、節電パネル１００は、図９（Ａ）および図９（Ｂ）に示すように、空気調和機２００の室外機２２０の空気取り入れ口２２１に節電パネル１００の第２の面１２を向かい合わせて、タイラップ（登録商標）などの固定具を用いて取り付けられる。
【００２６】
節電パネル１００を室外機２２０に取り付けると、図１３に示すように、節電パネル１００の開口部２０を通過した空気は、ファン２２３によりコンデンサユニット（熱交換器）２２２を通過する。節電パネル１００とコンデンサユニット２２２との間に３〜５ｃｍの間隔を開けるとよい。開口部２０を通過した空気が、外周部に螺旋状の空気の流れを有することにより、コンデンサユニット２２２のフィンに、強く接触する。これにより、螺旋状の空気の流れのない直線的に流れる空気に比べて、開口部２０を通過した空気は、コンデンサユニット２２２で効率的に熱交換を行うことができる。これにより、空気調和機２００の消費電力を抑制することができる。
【００２７】
空気調和機２００は、室内機２１０または室外機２２０に節電パネル１００が取り付けられてもよい。この場合、空気調和機２００の消費電力を抑制しつつ節電パネル１００の使用量を少なくできる。また、室内機２１０および室外機２２０に節電パネル１００が取り付けられると、室内機２１０または室外機２２０に節電パネル１００が取り付けられた場合に比べて、空気調和機２００の消費電力をより抑制できる。
【００２８】
以上のように、本実施の形態の節電パネル１００によれば、開口部２０の外周部分を通過した空気に螺旋状の空気の流れが生じることにより、この空気の流れがエバポレーターコイル２１３またはコンデンサユニット２２２を通過することで、効率的に熱交換が行われる。これにより、空気調和機２００の消費電力を抑制することができる。また、節電パネル１００にファインセラミックス粒子がふくまれ、ファインセラミック粒子が段戸石を粉砕した粒子であると効率的に遠赤外線を放射し、マイナスイオンを発生することができる。室内機２１０に節電パネル１００を取り付けるとマイナスイオンを含む空気を室内に循環させることができる。
【００２９】
（変形例）
上述の実施の形態では、一つの開口部２０に均等な間隔で１６個の突起部２１が設けられている例について説明した。開口部２０を通過した空気に螺旋状の空気の流れを生じさせることができればよく、開口部２０は、複数の突起部２１を有すればよく、一つの開口部２０に８個以上２４個以下の突起部２１を有することが好ましい。また、突起部２１は、ランダムな間隔で配置されてもよい。
【００３０】
上述の実施の形態では、厚み方向に見て、突起部２１が三角形の形状を有する例について説明した。突起部２１は、開口部２０を通過した空気に螺旋状の空気の流れを生じさせることができればよく、形状は特に限定されず、厚み方向に見て、四角形や半円形であってもよい。
【００３１】
上述の実施の形態では、開口部２０の周辺部２３が盛り上がっている例について説明した。節電パネル１００の第２の面１２の形状は、突起部２１に傾斜面２２を設けることができれば、限定されず、第２の面１２は、図１４に示すように、平面であってもよい。このようにすることで、成型金型の形状を複雑にすることなく成型可能である。
【００３２】
上述の実施の形態では、開口部２０が円孔から構成される例について説明した。開口部２０は円孔に限定されず、楕円や多角形であってもよい。この場合、開口部２０を構成する孔の内周面には、孔が貫通する第１方向に直交する第２方向内向きに突出した複数の突起部２１を有するとよい。また、開口部２０の大きさは、任意である。
【００３３】
以上、本発明の好ましい実施形態について説明したが、本発明は係る特定の実施形態に限定されるものではなく、本発明には、特許請求の範囲に記載された発明とその均等の範囲とが含まれる。
【符号の説明】
【００３４】
１０…パネルシート
１０ａ…カット部
１１…第１の面
１２…第２の面
２０…開口部
２１…突起部
２２…傾斜面
２３…周辺部
３０…連結部
１００…節電パネル
１００ａ…外周辺
２００…空気調和機
２１０…室内機
２１１…空気取り入れ口
２１２…フィルタ
２１３…エバポレーターコイル
２２０…室外機
２２１…空気取り入れ口
２２２…コンデンサユニット
２２３…ファン
Ｄ１…内径
Ｄ２…突出長さ
【図１】
2020118436.tif 000004
【図２】
2020118436.tif 000005
【図３】
2020118436.tif 000006
【図４】
2020118436.tif 000007
【図５】
2020118436.tif 000008
【図６】
2020118436.tif 000009
【図７】
2020118436.tif 000010
【図８】
2020118436.tif 000011
【図９】
2020118436.tif 000012
【図１０】
2020118436.tif 000013
【図１１】
2020118436.tif 000014
【図１２】
2020118436.tif 000015
【図１３】
2020118436.tif 000016
【図１４】
2020118436.tif 000017